(57)【要約】本発明は、ストリップ型部品の処理装置に係り、環状の帯状無限ベルトと、前記無限ベルトが巻かれて回転するホイール及び前記無限ベルトを回転させるための駆動装置を含むストリップ型部品の処理装置において、前記無限ベルト１０は１対であって、ベルト自体が永久磁石であるか、ベルトに永久磁石を設けて磁力を持たせたベルトであり、それぞれのホイールによって回転する２つの無限ベルトが磁石の引力によって部品を把持可能に配されたことを特徴とするストリップ型部品の処理装置を提供する。本発明によるストリップ型部品の処理装置は、弾性体を把持手段として使用する従来の部品処理装置と比較すれば、その構造が簡単で、かつ被加工部品を固く把持して長期間使用できるという長所がある。
2005537390.tif 000002
【特許請求の範囲】
【請求項１】
環状の帯状無限ベルトと、前記無限ベルトが巻かれて回転するホイール及び前記無限ベルトを回転させるための駆動装置を含むストリップ型部品の処理装置において、
前記無限ベルトは１対であって磁力を有し、それぞれのホイールによって回転する２つの無限ベルトが磁石の引力によってストリップ型部品を把持可能に配されたことを特徴とするストリップ型部品の処理装置。
【請求項２】
２つの無限ベルトを上下に配し、上部に位置する２個のホイール間に無限ベルトを下方に誘導するガイドローラを設け、下部に位置する２個のホイール間には部品処理槽を設けて、２個の無限ベルトが磁石の引力によって部品を把持しつつ、ガイドローラによって下方に垂れる区間で前記部品処理槽の内部を通過することを特徴とする請求項１に記載のストリップ型部品の処理装置。
【請求項３】
相異なる長さを有する２つの無限ベルトを内外で重畳して一側のホイールに共に掛け、他側には内部の無限ベルトを掛けるホイールと外部の無限ベルトを掛けるホイールとが一列に配されたことを特徴とする請求項１に記載のストリップ型部品の処理装置。
【発明の詳細な説明】
【技術分野】
【０００１】
本発明は、ストリップ型部品の処理装置に係り、特に無限ベルトに備えられた部品把持手段を用いてストリップ型部品を把持した状態で移送させつつ、１つまたはそれ以上の処理槽を通過できる装置を具体化したものである。
【背景技術】
【０００２】
ストリップ型部品の処理装置及び無限ベルトに関する従来の技術としては、米国特許第４，５３４，８４３号、米国特許第５，０２４，７４５号及び韓国登録実用新案第１５４４３２号などがある。
【０００３】
米国特許第４，５３４，８４３号、米国特許第５，０２４，７４５号及び韓国登録実用新案第１５４４３２号は、半導体リードフレームのようなストリップ型部品の電解処理、メッキ、洗浄、乾燥などに使用する無限ベルトに関するものであって、前記ストリップ型部品を把持する手段として無限ベルトに弾性を有するグリッパ（ｇｒｉｐｐｅｒ）を設けたものである。前記のような従来の技術は、無限ベルトとグリッパとを別途に製作して組立てることによって、製作・組立て・補修が不便であり、かつ使用するほどグリッパの弾性が低下するので、随時に交替せねばならないという短所があり、ベルトとグリッパとが一体に成形された無限ベルトの場合であっても、無限ベルトに形成されたグリッパのうち、何れか１つでも弾性が低下するか、破損される場合、ベルト全体を交換せねばならない決定的な短所がある。
【０００４】
発明の開示
従来技術の問題点を改善するために、バネによる弾性を利用せずに、比較的一定した力で長期間部品を把持でき、構造が簡単で、かつストリップ型部品の移送が容易な処理装置を提供することを本発明の技術的課題とする。
【図面の簡単な説明】
【０００５】
【図１】図１は、本発明による部品処理装置の一実施例を示す斜視図である。
【図２】図２は、本発明による部品処理装置において、部品を把持して移送することを示す説明図である。
【図３】図３は、本発明による部品処理装置の他の実施例を示す斜視図である。
【図４】図４は、本発明による部品処理装置の他の実施例を示す斜視図である。
【符号の説明】
【０００６】
１０  無限ベルト
２０  ホイール
２１  ガイドローラ
３０  ストリップ型の部品
４０  部品処理槽
【０００７】
実施例
前述した技術的課題を達成するために本発明は、環状の帯状無限ベルトと、前記無限ベルトが巻かれて回転するホイール及び前記無限ベルトを回転させるための駆動装置を含むストリップ型部品の処理装置において、前記無限ベルトは、１対であってベルト自体が永久磁石であるか、ベルトに永久磁石を取り付けて磁力を持たせるベルトであり、それぞれのホイールによって回転する２つの無限ベルトが一定区間で磁石の引力によって密着されつつ、部品を把持可能に配置されたことを特徴とするストリップ型部品の処理装置を提供する。
【０００８】
図１は本発明による部品処理装置の一実施例を示す斜視図であり、図２はストリップ型部品を把持して移送することを示す説明図であり、図３及び図４は、各々本発明による部品処理装置の他の実施例を示す斜視図である。
【０００９】
以下、添付した図面に基づいて本発明を詳細に説明する。
前述したように半導体リードフレームのようなストリップ型部品を処理するための装置に使われる従来の無限ベルトには、部品把持手段として板バネまたはコイルバネの弾性を用いたグリッパが備えられているので、使用するほどバネの弾性が落ちる短所がある。
【００１０】
本発明は、従来の技術が有している短所を根本的に改善するために、部品把持のための力としてその性質が半永久的な磁力を用いる点にその特徴がある。
【００１１】
このために図１に示されたように、全体として永久磁石よりなる１対の無限ベルト１０をそれぞれの磁極を異ならせてベルトの外面が対向すべく左右に配し、前記無限ベルトが巻かれて回転できるように各ベルトの両端にホイール２０を設け、通常の駆動装置を用いて無限ベルト１０を回転させれば、一定区間Ａ−Ｂでは２個の無限ベルトが磁石の引力により相互密着された状態で運行するようになり、ホイール２０に沿って巻かれて回転しつつ、再び広がる。
【００１２】
したがって、区間の開始点（Ａ）で部品を把持し、Ａ−Ｂ区間で部品処理槽を通過した後、区間の終点（Ｂ）で処理された部品を排出する。
【００１３】
前記無限ベルト１０とホイール２０は、公知された多様な方法を通じて正確に駆動及び制御でき、ホイールと無限ベルトは、被加工部品の形態、大きさ、性質などを考慮して多様な形態と素材で作ることができる。
【００１４】
例えば、ストリップ型の部品を移送する運送手段である無限ベルトの他の実施例として織物製、合成樹脂材または金属材の無限ベルトに永久磁石を設けてもよく、２つの無限ベルトのうち、１つの無限ベルトが磁化可能な素材よりなるものであれば、他の１つの無限ベルトにのみ永久磁石を設けても良い。
【００１５】
また、無限ベルト１０に磁石を設置することも、被加工部品の形態、大きさ、性質などを考慮して磁石の種類と大きさ、設置位置を必要によって自由に選択しうる。
【００１６】
例えば、無限ベルト１０の外部に柔軟性のあるゴム磁石を取り付けるか、あるいは無限ベルトの内部に永久磁石を埋め込んでも良い。
【００１７】
また、無限ベルト１０の一部を導体とする場合には、導電性を用いて通常の方法で被加工部品を電気メッキするのに本発明を用いられうる。
【００１８】
本発明によるストリップ型部品の処理装置の他の実施例として、無限ベルトを上下に配置すれば、ストリップ型部品を水平に把持して移送できるだけでなく、図３に示されたように、無限ベルトを上下に配置し、上部に位置する２個のホイール間に無限ベルトを下方に誘導するガイドローラ２１を設け、下部に位置する２個のホイール間には部品処理槽４０を設ければ、２個の無限ベルトが磁石の引力によって密着されつつ、部品を把持し、ガイドローラによって下方に垂れる区間で前記部品処理槽４０の内部を通過しつつ、ストリップ型部品を加工する処理装置を提供することもできる。
【００１９】
したがって、部品処理槽４０の内部にメッキ液を満たして陽極を印加し、無限ベルトの導体部分を通じてストリップ型部品に陰極を印加すれば、メッキ槽の形態をきわめて単純化させ、かつ弾性体を把持手段として電気メッキを行う場合には、被加工部品の角部に電流が集中してメッキ膜が全体的に不均一であるという短所があるので、メッキ膜を均一にするためにメッキ槽の内外部に磁石を設けて磁場を形成する必要があるが、本発明をメッキ装置に用いる場合には、無限ベルトが有する磁性を活用してさらに均一なメッキ膜を得られる。
【００２０】
また、本発明のような装置を上下または左右に並設してストリップ型の部品を両側でさらに固く把持可能にする。
【００２１】
本発明のさらに他の実施例として、図４のように、相異なる長さを有する２つの無限ベルトを内外に重畳して一方のホイールに共に掛け、他方には内部の無限ベルトを掛けるホイールと外部の無限ベルトを掛けるホイールとを一列に配すれば、磁石の引力によって密着された無限ベルトがストリップ型部品を把持して２つの無限ベルトが共に掛かっている一方のホイールを回って一定の区間Ｃ−Ｄを移送するので、本発明の処理装置の前後方で別途の工程を連続して行うこともできる。
【００２２】
本発明は、被加工部品の把持手段として、バネによる弾性力を利用せずに、半永久的な磁力を利用するので、長時間の使用による弾性力の低下または部品の取替えのような問題が発生せず、半永久的に使用でき、構造が簡単で少ない費用で設置でき、かつ把持手段の構造が単純なので、被加工部品の投入と排出とが容易である。
【図１】
2005537390.tif 000003
【図２】
2005537390.tif 000004
【図３】
2005537390.tif 000005
【図４】
2005537390.tif 000006
【国際調査報告】
2005537390.tif 000007